(57)【特許請求の範囲】
【請求項１】
送風機と、この送風機から吹き出す空気の吹出口と、この吹出口に揺動自在に設けられた複数の縦羽根と、これら複数の縦羽根を同時に揺動する連動板及び縦羽根駆動用モータを有し、複数の縦羽根を左右にスイングさせる揺動制御手段とを備えた空気調和機において、
前記揺動制御手段の縦羽根駆動用モータの回転位置を検出することにより縦羽根の振り角度を検出する位置検出手段と、この位置検出手段に基づいて送風機のファン回転数を制御する回転数制御手段とを設け、
前記回転数制御手段は、縦羽根の振り角度が所定角度より大きいとき、ファン回転数を所定回転数以下に制限することを特徴とする空気調和機。
【請求項２】
前記揺動制御手段は縦羽根を任意の振り角度位置に停止可能であることを特徴とする請求項１に記載の空気調和機。
【発明の詳細な説明】
【０００１】
【発明の属する技術分野】
本発明は、吹出口に設けた縦羽根の振り角度に応じて吹出風量を制御する空気調和機に関する。
【０００２】
【従来の技術】
従来、空気調和機は、吹出口に左右方向の風向を調節する縦羽根を設け、この縦羽根の振り角度をステッピングモータ等の縦羽根駆動用モータで制御することにより、吹出口から吹き出される左右方向の風向きを調節するようにしたものがある。
【０００３】
この種の空気調和機は、冷房・除湿運転時、湿度の高い状態で縦羽根を左右に大きく曲げて長時間運転すると、室内の温度や湿度の条件によっては吹出口付近に露が付着し床に滴下する恐れがあることから、冷房・除湿運転時には、縦羽根の振り角が大きくならないように制御し、これにより、冷房・除湿運転時の露付きを防止している。なお、暖房運転時においては、冷房・除湿運転時よりも振り角度が大きくなるように制御されている。
【０００４】
【発明が解決しようとする課題】
ところで、上記従来の空気調和機において、縦羽根の振り角度を小さくしていると、空気調和機から吹き出される調和空気が左右方向に届きにくいので、空気調和機の左右方向の領域を冷房・除湿する場合には、時間がかかり、また、部屋全体を冷房・除湿する場合にも、部屋の温度分布にムラができやすいという問題があった。そのため、冷房・除湿運転時の露付きを抑え、かつ、縦羽根の振り角度を大きくして運転できるような制御が求められていた。
【０００５】
本発明は、冷房・除湿運転時の露付きを抑えるとともに、縦羽根の振り角度を大きくして左右方向への吹き出し角度を大きくする空気調和機を提供することを目的とする。
【０００６】
【課題を解決するための手段】
上記目的を達成するために、請求項１記載の発明は、送風機と、この送風機から吹き出す空気の吹出口と、この吹出口に揺動自在に設けられた複数の縦羽根と、これら複数の縦羽根を同時に揺動する連動板及び縦羽根駆動用モータを有し、複数の縦羽根を左右にスイングさせる揺動制御手段とを備えた空気調和機において、  前記揺動制御手段の縦羽根駆動用モータの回転位置を検出することにより縦羽根の振り角度を検出する位置検出手段と、この位置検出手段に基づいて送風機のファン回転数を制御する回転数制御手段とを設け、前記回転数制御手段は、縦羽根の振り角度が所定角度より大きいとき、ファン回転数を所定回転数以下に制限することを特徴とする空気調和機。
【０００８】
請求項２に記載の発明は、前記揺動制御手段は縦羽根を任意の振り角度位置に停止可能であることを特徴とする請求項１に記載の空気調和機。
【０００９】
【発明の実施の形態】
以下、本発明の一実施形態を図１〜図６に基づいて説明する。図１は本発明の一実施形態における空気調和機である。
【００１０】
図１において、１は空気調和機であり、室内機２、室外機３、配管４、及びワイヤレスリモコン（以下、単にリモコンという）５等から構成される。この空気調和機１は、リモコン５によって操作することができ、リモコン操作することによって室内の暖房・冷房・除湿運転をすることができる。
【００１１】
図２は室内機の正面図、図３は室内機の側断面図、図４は縦羽根の平面図である。図において、室内機２はケーシング６の前面に吸込口７が形成され、ケーシング６内に収容された熱交換器８と送風機１２とを通して吸込口７から吹出口１３へと通風路１４が形成されている。吹出口１３付近の内部には風向調節装置１５があり、この風向調節装置１５の縦羽根１６を枢支する取付枠１７が斜め下方に開口して取り付けられている。取付枠１７には、図４に示すように、複数の回動孔１８が等間隔に設けられ、複数の縦羽根１６が回動軸１９を介して揺動自在に枢着されている。縦羽根１６には、連動軸２１を介して連動板２２が取り付けられ、１つの縦羽根１６を揺動することにより同時に全部の縦羽根１６を揺動することができ、縦羽根１６の揺動によって吹出風を左右方向に向きを変えることができる。右端の縦羽根１６の回動軸１９には、ステッピングモータ２６の回転軸が取り付けられ、縦羽根１６を回動自在に駆動できる。ステッピングモータ２６は制御装置（図示せず）に接続されている。縦羽根１６の下流側には、図３に示すように、水平羽根２３が取り付けられ、吹出風の向きを上下方向に調節できる。
【００１２】
空気調和機１を運転すると送風機１２の回転によって吸込口７を通して吸い込まれた室内空気が熱交換器８で加熱または冷却されて通風路１４を通って吹出口１３へ送られる。縦羽根１６によって左右方向の吹出風が、水平羽根２３によって上下方向の吹出風が調節され、室内に吹き出される。
【００１３】
図５は縦羽根の振り角度と風量との制御を示すブロック図である。５はリモコン、２４はマイクロコンピュータ（以下、マイコンという）２５を有する制御装置、２６は縦羽根駆動用のステッピングモータ、２７は送風機１２のファンモータである。
【００１４】
リモコン５には、空気調和機１を運転あるいは停止させる運転・停止スイッチ３０、冷房、暖房等の運転モードを設定する運転モードスイッチ３１、室内を希望の温度に設定する設定温度スイッチ３２、縦羽根１６をスイング（左右に揺動）させあるいはスイングを停止させるスイングスイッチ３３、及び風量を強・中・弱に設定する風量切替スイッチ３４等が設けられている。スイングスイッチ３３を操作することにより縦羽根１６をスイングさせることができ、スイングさせた後、もう一度スイングスイッチ３３を操作することにより、縦羽根１６を任意の振り角度位置に停止させることができる。縦羽根１６は、例えば、縦羽根１６を前方に垂直になるような状態を０°として左右にそれぞれ６０°の間でスイングするように制御されている。そして、縦羽根１６の停止位置もこの範囲内の任意の位置に停止することができる。
【００１５】
マイコン２５には、縦羽根１６がスイングするようにステッピングモータ２６をステップ数で制御する縦羽根の揺動制御手段（以下、単に揺動手段という）３５と、この揺動手段３５のステップ数から縦羽根１６の振り角度を検出する縦羽根の位置検出手段３６と、ファンモータ２７の回転数を制御する回転数制御手段３７とを備えている。
【００１６】
揺動手段３５は、冷房・除湿運転時にリモコン５からの縦羽根１６のスイングの指令があると、ステッピングモータ２６を回転させることにより縦羽根１６をスイングさせ、吹出口１３から吹き出される風の向きを変化させる。揺動手段３５は、ステッピングモータ２６をステップ数（例えば、縦羽根の振り角度に応じて左右それぞれ３０ステップ）で制御し、縦羽根をスイングさせている。
【００１７】
位置検出手段３６は、揺動手段３５のステップ数の信号を検出することにより、縦羽根１６の振り角度位置を検出することができる。
【００１８】
回転数制御手段３７は、暖房運転時には露付きの恐れがないため、破線矢印に示すように、リモコン５で設定された風量に基づいて、ファンモータ２７が回転する。冷房・除湿運転時には、縦羽根１６の振り角度の大きい状態（縦羽根１６を振り角度の大きい位置に停止して使用する場合と縦羽根１６をスイングして使用する場合）で、かつ、風量の多い状態で使用していると、吹出口１３付近に露付きを生じる恐れがあるため、縦羽根１６の振り角度に応じて風量（ファン回転数）に制限を設け、露付きを生じないように制御している。縦羽根１６の振り角度が小さいときには、風量（ファン回転数）に制限を設けず、振り角度が大きくなると、最大風量（ファンの最大回転数）を抑えるような制御を設ける。
【００１９】
図６は冷房・除湿運転時の縦羽根の振り角度と風量（ファンの回転数）制御の関係の一例を示している。位置検出手段３６により検出された縦羽根１６の振り角度が３０°未満の場合、最大風量に制限を設けないので、風量はリモコン５で設定された強・中・弱いずれの風量での吹き出しが可能である。縦羽根１６の振り角度が３０°以上４５°未満の場合、回転数制御手段３７は最大風量が中以下になるようにファン回転数を制御する。これにより、リモコン５での風量が強に設定されても、風量は中以下に抑えられ、中または弱の吹き出しが可能である。縦羽根１６の振り角度が４５°以上６０°未満の場合、回転数制御手段３７は最大風量が弱以下になるようにファン回転数を制御する。これにより、リモコン５での風量が強あるいは中に設定されても、風量は弱に抑えられ、弱のみの吹き出しが可能である。
【００２０】
以上のように、縦羽根１６の振り角度に応じて縦羽根１６の振り角度が小さい位置では、風量（ファン回転数）に制限を設けず、振り角度の大きい位置では最大風量（ファンの最大回転数）に制限を設けているので、振り角度の大きい露付きの発生しやすい位置では吹出口１３から吹き出される風量を低く抑え、露付きの発生を抑えるようにする。なお、風量を強に設定してスイング運転する場合には、縦羽根１６の移動とともに、風量が強と弱とを繰り返して変化し、吹き出される。
【００２１】
このように、縦羽根１６の振り角度が大きい位置では風量を低く抑えて露付きを生じにくくしているので、縦羽根１６の振り角度を大きくすることができ、吹出口１３の左右方向の吹出角度範囲を大きくすることができる。
【００２２】
以上、一実施形態に基づいて本発明を説明したが、本発明はこれに限定されるものではない。
【００２３】
本実施形態において、縦羽根１６の振り角度の境界線を設け、この境界線を境に送風機１２の最大風量を段階的に変化させているが、境界線を設けず、縦羽根１６の振り角度に比例するように最大風量に制限を設けるようにしても良い。
【００２４】
【発明の効果】
以上説明したように、本発明の空気調和機は、送風機と、この送風機から吹き出す空気の吹出口と、この吹出口に揺動自在に設けられた複数の縦羽根と、これら複数の縦羽根を同時に揺動する連動板及び縦羽根駆動用モータを有し複数の縦羽根を左右にスイングさせる揺動制御手段とを備え、この揺動制御手段から縦羽根の振り角度を検出する縦羽根の位置検出手段と、この位置検出手段に基づいて送風機のファンの回転数を制御する回転数制御手段とを設け、吹出口に設けた縦羽根の振り角度の大きい位置では風量を小さく抑えているので、吹出口付近での露付きを抑え、吹出方向の範囲を大きくすることができる。これにより、部屋の空調されにくい領域を小さくすることができ、また、部屋全体の温度分布を良くすることができる。
【図面の簡単な説明】
【図１】本発明の一実施形態における空気調和機を示す斜視図である。
【図２】図１の室内機の正面図である。
【図３】図２の側断面図である。
【図４】図２の縦羽根の平断面図である。
【図５】縦羽根の振り角度と風量との制御を示すブロック図である。
【図６】縦羽根の振り角度と風量制御との関係の一例を示す説明図である。
【符号の説明】
１  空気調和機
１２  送風機
１３  吹出口
１６  縦羽根
２２  連動板
２４  制御装置
２５  マイクロコンピュータ
２６  ステッピングモータ
２７  ファンモータ
３５  揺動制御手段
３６  位置検出手段
３７  回転数制御手段
【図１】
0004660028.tif 000002
【図２】
0004660028.tif 000003
【図３】
0004660028.tif 000004
【図４】
0004660028.tif 000005
【図５】
0004660028.tif 000006
【図６】
0004660028.tif 000007